(57)【要約】      （修正有）【課題】サーバを介せず機器同士で直接ファクシミリ文書を送受信することができるファクシミリ送受信装置を提供する。【解決手段】コントローラ１００のＣＰＵ１０３は、ファクシミリ送信する原稿文書に対して固有のＩＤを含む属性情報を管理する管理テーブルを作成し、属性情報のうち少なくともＩＤをイメージパターンに変換する。また、イメージパターンを原稿文書に合成して付加した画像データをファクシミリ送信する。また、イメージパターンが付加された受信ファクシミリ文書からイメージパターンを検出してＩＤを抽出し、抽出したＩＤから管理テーブルを読み込んで属性情報の内容により指定された場所に受信ファクシミリ文書を格納する。また、抽出したＩＤから管理テーブルを読み込んで属性情報の内容により送信したファクシミリ文書を再送する。【選択図】図２
2008061128.tif 000002
【特許請求の範囲】
【請求項１】
ファクシミリ送信する原稿文書に対して固有のＩＤを含む属性情報を管理する管理テーブルを作成する管理テーブル作成手段と、
前記属性情報のうち少なくとも前記ＩＤをイメージパターンに変換するイメージパターン変換手段と、
前記イメージパターンを前記原稿文書に合成して付加した画像データをファクシミリ送信するファクシミリ送信手段と、
前記イメージパターンが付加された受信ファクシミリ文書から前記イメージパターンを検出して前記ＩＤを抽出するＩＤ抽出手段と、
前記抽出したＩＤから前記管理テーブルを読み込んで前記属性情報の内容により指定された場所に前記受信ファクシミリ文書を格納する受信ファクシミリ文書格納手段と、
前記抽出したＩＤから前記管理テーブルを読み込んで前記属性情報の内容により前記送信したファクシミリ文書を再送するファクシミリ文書再送手段と、
を備えることを特徴とするファクシミリ送受信装置。
【請求項２】
前記属性情報は、送信先の電話番号、原稿文書の管理者、原稿文書管理場所、返却期限を含むことを特徴とする請求項１記載のファクシミリ送受信装置。
【請求項３】
前記イメージパターンは、前記属性情報を符号化してドットパターンで構成される一次元バーコード、又は二次元方向に情報を持つ二次元バーコードであることを特徴とする請求項１又は２に記載のファクシミリ送受信装置。
【請求項４】
前記受信ファクシミリ文書格納手段は、前記管理テーブルに記述された原稿ファイル名に関連したファイル名を付けて、指定された場所に前記受信ファクシミリ文書を格納することを特徴とする請求項１乃至３の何れかに記載のファクシミリ送受信装置。
【請求項５】
前記属性情報に含まれる返信期限が経過すると、所有者にファクシミリ文書を再送するか否かを選択させる通知を行う通知手段を更に有し、前記ファクシミリ文書再送手段は、前記通知手段による通知に伴う所有者の選択により前記ファクシミリ文書を再送することを特徴とする請求項１乃至４の何れかに記載のファクシミリ送受信装置。
【請求項６】
ファクシミリ送信する原稿文書に対して固有のＩＤを含む属性情報を管理する管理テーブルを作成する管理テーブル作成ステップと、
前記属性情報のうち少なくとも前記ＩＤをイメージパターンに変換するイメージパターン変換ステップと、
前記イメージパターンを前記原稿文書に合成して付加した画像データをファクシミリ送信するファクシミリ送信ステップと、
前記イメージパターンが付加された受信ファクシミリ文書から前記イメージパターンを検出して前記ＩＤを抽出するＩＤ抽出ステップと
前記抽出したＩＤから前記管理テーブルを読み込んで前記属性情報の内容により指定された場所に前記受信ファクシミリ文書を格納する受信ファクシミリ文書格納ステップと、
前記抽出したＩＤから前記管理テーブルを読み込んで前記属性情報の内容により前記送信したファクシミリ文書を再送するファクシミリ文書再送ステップと、
を備えることを特徴とするファクシミリ送受信方法。
【請求項７】
ファクシミリ送信する原稿文書に対して固有のＩＤを含む属性情報を管理する管理テーブルを作成する管理テーブル作成モジュールと、
前記属性情報のうち少なくとも前記ＩＤをイメージパターンに変換するイメージパターン変換モジュールと、
前記イメージパターンを前記原稿文書に合成して付加した画像データをファクシミリ送信するファクシミリ送信モジュールと、
前記イメージパターンが付加された受信ファクシミリ文書から前記イメージパターンを検出して前記ＩＤを抽出するＩＤ抽出モジュールと
前記抽出したＩＤから前記管理テーブルを読み込んで前記属性情報の内容により指定された場所に前記受信ファクシミリ文書を格納する受信ファクシミリ文書格納モジュールと、
前記抽出したＩＤから前記管理テーブルを読み込んで前記属性情報の内容により前記送信したファクシミリ文書を再送するファクシミリ文書再送モジュールと、
をコンヒピュータに実行させることを特徴とするファクシミリ送受信プログラム。
【請求項８】
請求項７記載のファクシミリ送受信プログラムを格納するコンピュータ読み取り可能な記憶媒体。
【発明の詳細な説明】
【技術分野】
【０００１】
本発明は、ファクシミリ送受信装置及び方法、並びにプログラム及び記憶媒体に関する。
【背景技術】
【０００２】
文書にはメモ、ファクシミリ文書、コピー、カタログ、契約書、請求書、伝票などがあり、それらを電子ファイルとして管理することでオフィス業務の効率化が図られている。文書管理手段としては、ファイル名や宛先などから属性情報を付加して分類して管理する手段が一般的である。
【０００３】
しかしながら、ファイルのヘッダーなどに属性を容易に付加できる電子データとは異なり、イメージデータとしての情報しか持てないファクシミリ文書においては、分類して管理することが困難になる。
【０００４】
送信元の電話番号や受信時刻、ＯＣＲで読み取った情報を元に、属性情報を付けてファクシミリ文書を分類整理することは可能であるが、受信したファクシミリ文書から情報を読み取って既存の管理している文書と連携させることは困難である。そこで受信したファクシミリ文書を管理するために、用件ごとに受信者が目で確認して仕分け、集計しなければならなかった。
【０００５】
上記問題に鑑みて、ファクシミリ文書の管理手段として、特許文献１には、異機種の端末間における文書の送受信に伴う返答の受信、集計、更に、未返答者に対する返答督促を行う手段が提案されている。
【特許文献１】特開平０６−０３００３７号公報
【発明の開示】
【発明が解決しようとする課題】
【０００６】
しかしながら、上記従来技術では、文書を宛先ユーザに送信するのではなくサーバを介して送信し、また文書自体には属性情報を持たせずにサーバが属性を管理している。
【０００７】
本発明の目的は、サーバを介さずに機器同士でファクシミリ文書を送受信することができるファクシミリ送受信装置及び方法、並びにプログラム及び記憶媒体を提供することにある。
【課題を解決するための手段】
【０００８】
上記目的を達成するために、請求項１記載のファクシミリ送受信装置は、ファクシミリ送信する原稿文書に対して固有のＩＤを含む属性情報を管理する管理テーブルを作成する管理テーブル作成手段と、前記属性情報のうち少なくとも前記ＩＤをイメージパターンに変換するイメージパターン変換手段と、前記イメージパターンを前記原稿文書に合成して付加した画像データをファクシミリ送信するファクシミリ送信手段と、前記イメージパターンが付加された受信ファクシミリ文書から前記イメージパターンを検出して前記ＩＤを抽出するＩＤ抽出手段と、前記抽出したＩＤから前記管理テーブルを読み込んで前記属性情報の内容により指定された場所に前記受信ファクシミリ文書を格納する受信ファクシミリ文書格納手段と、前記抽出したＩＤから前記管理テーブルを読み込んで前記属性情報の内容により前記送信したファクシミリ文書を再送するファクシミリ文書再送手段とを備えることを特徴とする。
【０００９】
請求項６記載のファクシミリ送受信方法は、ファクシミリ送信する原稿文書に対して固有のＩＤを含む属性情報を管理する管理テーブルを作成する管理テーブル作成ステップと、前記属性情報のうち少なくとも前記ＩＤをイメージパターンに変換するイメージパターン変換ステップと、前記イメージパターンを前記原稿文書に合成して付加した画像データをファクシミリ送信するファクシミリ送信ステップと、前記イメージパターンが付加された受信ファクシミリ文書から前記イメージパターンを検出して前記ＩＤを抽出するＩＤ抽出ステップと、前記抽出したＩＤから前記管理テーブルを読み込んで前記属性情報の内容により指定された場所に前記受信ファクシミリ文書を格納する受信ファクシミリ文書格納ステップと、前記抽出したＩＤから前記管理テーブルを読み込んで前記属性情報の内容により前記送信したファクシミリ文書を再送するファクシミリ文書再送ステップとを備えることを特徴とする。
【００１０】
請求項７記載のファクシミリ送受信プログラムは、ファクシミリ送信する原稿文書に対して固有のＩＤを含む属性情報を管理する管理テーブルを作成する管理テーブル作成モジュールと、前記属性情報のうち少なくとも前記ＩＤをイメージパターンに変換するイメージパターン変換モジュールと、前記イメージパターンを前記原稿文書に合成して付加した画像データをファクシミリ送信するファクシミリ送信モジュールと、前記イメージパターンが付加された受信ファクシミリ文書から前記イメージパターンを検出して前記ＩＤを抽出するＩＤ抽出モジュールと、前記抽出したＩＤから前記管理テーブルを読み込んで前記属性情報の内容により指定された場所に前記受信ファクシミリ文書を格納する受信ファクシミリ文書格納モジュールと、前記抽出したＩＤから前記管理テーブルを読み込んで前記属性情報の内容により前記送信したファクシミリ文書を再送するファクシミリ文書再送モジュールとをコンヒピュータに実行させることを特徴とする。
【００１１】
請求項８記載のコンピュータ読み取り可能な記憶媒体は、請求項７記載のファクシミリ送受信プログラムを格納する。
【発明の効果】
【００１２】
本発明のファクシミリ送受信装置は、ファクシミリ送信する原稿文書に対して固有のＩＤを含む属性情報を管理する管理テーブルを作成し、属性情報のうち少なくともＩＤをイメージパターンに変換する。また、イメージパターンを原稿文書に合成して付加した画像データをファクシミリ送信する。また、イメージパターンが付加された受信ファクシミリ文書からイメージパターンを検出してＩＤを抽出し、抽出したＩＤから管理テーブルを読み込んで属性情報の内容により指定された場所に受信ファクシミリ文書を格納する。また、抽出したＩＤから管理テーブルを読み込んで属性情報の内容により送信したファクシミリ文書を再送する。このように、パターンの生成と抽出は送信側の装置で行うので、サーバを介さずに機器同士でファクシミリ文書を送受信することができる。
【発明を実施するための最良の形態】
【００１３】
以下、本発明の実施の形態を図面を参照しながら詳細に説明する。
【００１４】
図１は、本発明のファクシミリ送受信装置を構成する複合機と、ファクシミリ装置が公衆回線で接続されるシステムの構成を概略的に示す図である。
【００１５】
図１において、複合機（ＭＦＰ；ＭｕｌｔＩ／Ｆｕｎｃｔｉｏｎａｌ  Ｐｅｒｉｐｈｅｒａｌ）１は、複数のファクシミリ装置２（２−１、２−２、２−３）と公衆回線６００で接続されている。複合機１は、原稿スキャン機能、プリント機能、ＢＯＸ機能、ファクシミリ機能を登載している。
【００１６】
図２は、図１における複合機の制御システム構成を概略的に示す図である。
【００１７】
図２において、複合機１は、コントローラ１００、スキャナ２００、プリンタ３００及び操作部４００を備える。
【００１８】
コントローラ１００は、画像入力装置であるスキャナ２００や画像出力装置であるプリンタ３００と接続し、一方では、ＬＡＮ５００や公衆回線６００と接続することで、画像情報やデバイス情報の入出力を行う。
【００１９】
以下、コントローラ１００の各デバイスの機能を説明する。
【００２０】
ＣＰＵ１０３は、複合機全体を制御する。操作部Ｉ／Ｆ１０４は、操作部４００とのインターフェース部で、操作部４００に表示する画像データを操作部４００に対して出力する。また、操作部４００からユーザが入力した情報をＣＰＵ１０３に伝える役割をする。
【００２１】
ネットワークＩ／Ｆ１０５は、ＬＡＮ５００に接続し、情報の入出力を行う。モデム１０６は、公衆回線６００に接続し、データ送受信を行うための変調復調処理を行う。ＲＡＭ１０７は、ＣＰＵ１０３が動作するためのシステムワークメモリであり、画像データを一時記憶するための画像メモリとしても利用される。
【００２２】
ＲＯＭ１０８は、ブートＲＯＭとして利用され、複合機１のブートプログラムが格納されている。ＨＤＤ（ハードディスクドライブ）１０９は、システムソフトウェア、画像データ等を格納する。以上のデバイスがシステムバス１０１上に配置される。
【００２３】
イメージバスＩ／Ｆ１１０は、システムバス１０１と画像データを高速で転送するイメージバス１０２を接続し、データ構造を変換するバスブリッジである。イメージバス１０２は、ＰＣＩバス又はＩＥＥＥ１３９４などの高速バスで構成される。
【００２４】
イメージバス１０２上には以下のデバイスが配置される。
【００２５】
ＰＤＬアクセラレータ１１１は、ＰＤＬコードをビットマップイメージに展開する。デバイスＩ／Ｆ１１２は、画像入出力デバイスであるスキャナ２００やプリンタ３００とコントローラ１００を接続し、画像データの同期系／非同期系の変換を行う。画像圧縮部１１５は、多値画像データはＪＰＥＧ、２値画像データはＪＢＩＧ、ＭＭＲ、ＭＨの圧縮伸張処理を行う。
【００２６】
スキャナ画像処理部７００は、入力画像データに対し補正、加工、編集を行う。プリンタ画像処理部８００は、プリント出力画像データに対して、プリンタ３００に合わせた補正、解像度変換等を行う。
【００２７】
図３は、図２におけるスキャナの外観図である。
【００２８】
図３において、画像入力デバイスであるスキャナ２００は、原稿フィーダ２０１と、トレイ２０２を備え、原稿となる紙上の画像を照明し、図示しないＣＣＤラインセンサを走査することで、ラスタイメージデータとして画像を電気信号に変換する。
【００２９】
原稿用紙を原稿フィーダ２０１のトレイ２０２にセットし、ユーザが操作部４００から読み取り起動指示することにより、ＣＰＵ１０３がスキャナ２００に指示を与え、原稿フィーダ２０１は、原稿用紙を１枚ずつフィードし原稿画像の読み取り動作を行う。
【００３０】
図４は、図２におけるプリンタの外観図である。
【００３１】
図４において、画像出力デバイスであるプリンタ３００は、ラスタイメージデータを用紙上の画像に変換する。その画像の変換方式は、感光体ドラムや感光体ベルトを用いた電子写真方式、微少ノズルアレイからインクを吐出して用紙上に直接画像を印字するインクジェット方式等があるがどの方式でも構わない。
【００３２】
プリント動作の起動は、ＣＰＵ１０３からの指示によって開始する。プリンタ３００は、異なる用紙サイズ又は異なる用紙向きを選択できるように複数の給紙段を持ち、それに対応した用紙カセット３０２、３０３、３０４、３０５が装着される。また、排紙トレイ３０６は印字し終わった用紙を受けるものである。
【００３３】
図５は、図２におけるスキャナ画像処理部の構成を概略的に示す図である。
【００３４】
図５において、スキャナ画像処理部７００は、イメージバスＩ／Ｆコントローラ７０１、パターン検出前処理部７０２、像域分離処理部７０３、テーブル処理部７０４、フィルタ処理部７０５及び編集部７０６を備える。
【００３５】
画像バスＩ／Ｆコントローラ７０１は、イメージバス１０２と接続し、そのバスアクセスシーケンスを制御する働きと、スキャナ画像処理部７００内の各デバイスの制御及びタイミングを発生させる。
【００３６】
本発明に特有な機能を実行するパターン検出前処理部７０２は、ＣＰＵ１０３で実行されるプログラムから属性情報を入力するための画像信号を生成し、画像信号から属性情報を抽出してＣＰＵ１０３で実行されるプログラムへ出力する。
【００３７】
例えば、ファクシミリ送信する画像データに対して属性情報コードを二次元バーコードであるＱＲコードなどの特定パターンに変換した画像信号生成する。又はクシミリ受信した入力画像データから特定パターンを検出してそのパターンから属性情報を取得して、その情報をＣＰＵ１０３へ通知する処理を行う。詳細については後述する。
【００３８】
像域分離処理部７０３は、入力画像から文字部を検出することにより、像域を判定し、その後の画像処理に利用する像域信号を生成する。テーブル処理部７０４は、読み取った輝度データである画像データを濃度データに変換するために、テーブル変換を行う。フィルタ処理部７０５は、エッジ強調などの目的に従ったデジタル空間フィルタでコンボリューション演算を行う。
【００３９】
編集部７０６は、例えば入力画像データからマーカーペンで囲まれた閉領域を認識して、その閉領域内の画像データに対して、影付け、網掛け、ネガポジ反転などの画像加工処理を行う。処理が終了した画像データは、再び画像Ｉ／Ｆバスコントローラ７０１を介して、イメージバス１０２上に転送される。
【００４０】
図６は、図２におけるプリンタ画像処理部の構成を概略的に示す図である。
【００４１】
図６において、プリンタ画像処理部８００は、画像バスＩ／Ｆコントローラ８０１、下地除去処理部８０２、色変換処理部８０３、解像度変換部８０４及びスムージング処理部８０５を備える。
【００４２】
画像バスＩ／Ｆコントローラ８０１は、イメージバス１０２と接続し、そのバスアクセスシーケンスを制御する働きと、プリンタ画像処理部８００内の各デバイスの制御及びタイミングを発生させる。下地除去処理部８０２は、背景に薄い色がある原稿を読み取った画像データ等が送られてきた場合に背景色を除去する。
【００４３】
色変換処理部８０３は、プリンタ３００の出力特性に合わせた色変換を行う。解像度変換部８０４は、ＬＡＮ５００あるいは公衆回線６００から受信した画像データを、プリンタ３００の解像度に変換するための解像度変換を行う。スムージング処理部８０５は、解像度変換後の画像データのジャギー（斜め線などの白黒境界部に現れる画像のがさつき）を滑らかにする処理を行う。
【００４４】
図７は、図２における操作部の構成を概略的に示す図である。
【００４５】
図７において、操作部４００は、液晶操作パネル４０１、スタートキー４０２、ストップキー４０３及びハードキー群４０４を備える。
【００４６】
液晶操作パネル４０１は、液晶にタッチパネルを組み合わせたものであり、設定内容の表示、ソフトキーの表示等がなされるものである。スタートキー４０２は、コピー動作、ファクシミリ送信等を開始指示するためのハードキーであり、内部に緑色及び赤色のＬＥＤが組み込まれており、スタート可能のときに緑色、スタート不可のときに赤色のＬＥＤが点灯する。
【００４７】
ストップキー４０３は、動作を停止させるときに使用するハードキーである。ハードキー群４０４には、テンキー、クリアキー、リセットキー、ガイドキー、ユーザモードキーが設けられている。
【００４８】
図８は、図７における液晶操作パネルに通常のコピー画面が表示されている様子を示す図である。
【００４９】
図８において、設定表示部４１１は、複合機１の現在の動作状況、設定されている倍率、用紙、部数を表示する部分である。倍率ソフトキー群４１２には、複写時の倍率に関するソフトキーである等倍、拡大、縮小、ズームキーが設けられる。
【００５０】
自動縮小レイアウトキー４１３は、本発明の機能を指定する場合に用いるキーである。ソータキー４１４は、出力用紙の処理方法を指定するときに使用する。両面キー４１５は、両面印刷モードを実行する場合に使用する。
【００５１】
用紙選択キー４１６は、出力用紙のサイズ、色、マテリアル等を指定するための画面に遷移するときに使用する。濃度指定キー群４１７は、読み取り又は出力画像の濃度を調整し、設定内容を表示する部分である。応用モードキー４１８は、応用モード画面に移るときに使用する。
【００５２】
図９は、図２におけるＰＤＬアクセラレータの構成を概略的に示す図である。
【００５３】
図９において、ＰＤＬアクセラレータ１１１は、ＣＰＵ９０１、ＲＯＭ９０２、ワークＲＡＭ９０３、その他、以下に説明するデバイスを備える。
【００５４】
ＣＰＵ９０１は、プログラムからの制御コマンドに基づいてローカルバス９０４を介し、アクセラレータ全体の制御を司るものである。ＲＯＭ９０２は、ＣＰＵ９０１が実行する制御プログラムを格納している。ワークＲＡＭ９０３は、各種の情報を格納すると共に、ＣＰＵ９０１のワークエリアとしても機能する。
【００５５】
ＡＳＩＣ９０５は、ページ記述言語で記述されたファイルに基づいて画像メモリ９０６にラスタイメージ画像を展開する機能を有している。尚、このＡＳＩＣ９０５については、後述する。ＨＤＤ９０７、画像を一時待避するのに用いられる。
【００５６】
圧縮・伸張回路９０８は、ラスタイメージ画像を圧縮してバスＩ／Ｆ９０９へデータを送る、あるいはバスＩ／Ｆ９０９から圧縮データを受け取り、データを伸張して画像メモリ９０６へ格納するのに用いられる。
【００５７】
バスＩ／Ｆ９０９は、イメージバス１０２とローカルバス９０４のインターフェースを行い、またその内部にはＤＭＡ９１０を有する。そして、ＣＰＵ９０１を介さず直接、ワークＲＡＭ９０３、画像メモリ９０６、ＨＤＤ９０７、圧縮・伸張回路９０８から、イメージバス１０２にデータを転送、受信できるようになっている。ＤＭＡ９１０は、プログラムあるいはＤＭＡ９１０を起動する制御コマンドに基づいてＣＰＵ９０１が起動する。
【００５８】
図１における画像データ５０は、スキャナ２００で読み取った画像データにスキャナ画像処理部７００で特定パターンを付加した画像データである。尚、ここでは図示していないホストコンピュータから送信されたＰＤＬ記述されたファイルに基づいて、プリンタ画像処理部８００で展開されたデータにスキャナ画像処理部７００で特定パターンを付加したイメージデータであってもよいものとする。
【００５９】
図１０は、図２の複合機によって実行されるファクシミリ送信処理の手順を示すフローチャートである。
【００６０】
本処理は、コントローラ１００のＣＰＵ１０３で実行される。
【００６１】
ファクシミリ送信開始に際して、ユーザが操作部４００からファクシミリ機能を選択し、読み取り起動指示することにより、ＣＰＵ１０３がスキャナ２００に指示を与え、フィーダ２０１は原稿用紙を１枚ずつフィードし原稿画像の読み取り動作を行う。
【００６２】
尚、ＬＡＮ５００で接続されたホストコンピュータからリモートコントロールにより複合機１のＨＤＤ１０９に格納されている電子ファイルや、ホストコンピュータから送信されたＰＤＬファイルをファクシミリ送信する指示を与えて動作を開始してもよい。また転送するファイルに関しては、複合機１で処理できるファイルであればその種類は問わないものとする。
【００６３】
まずステップＳ１０１において、送信されたファイルをプリンタ画像処理部８００で展開し、送信画像データを生成する。画像データはＨＤＤ１０９やＲＡＭ１０７などの記憶装置に格納される。画像圧縮部１１５で圧縮して格納して送信時に再度展開してもよい。
【００６４】
ステップＳ１０２において、ファクシミリ送信する送信先を指定する。指定方法としてユーザが操作部４００から入力する方法をとる。ステップＳ１０３において、ファクシミリ送信する文書を管理するか否かを選択する。管理する場合はステップＳ１０４へ、管理しない場合はステップＳ１０９へ遷移する。
【００６５】
ステップＳ１０４において、送信するファクシミリ文書の管理テーブルを作成する。図１１（Ａ）に管理テーブルの例を挙げる。ファイルには、属性情報である文書管理用の固有のＩＤ番号、ファイル名、記憶するパス、管理者、送信先などの情報を保持する。ここで、ＩＤ番号は一意に決められるもので、１つのファクシミリ文書に対して宛先ごとに複数のＩＤ番号を割り当ててもよいものとする。
【００６６】
ステップＳ１０５において、送信期限を規定するか否かを選択する。規定する場合は、図１１（Ｂ）の例のように、ステップＳ１０４において作成した管理テーブルに返信期限を保持する。この返信期限は、期限が切れた時にステップＳ１０４で登録された送信先に対して再通知する際に使用される。詳細については後述する。
【００６７】
ステップＳ１０６において、属性情報をファクシミリ文書に付加するか否かを選択する。選択する場合はＳ１０７へ遷移する。選択しない場合は、ステップＳ１０９に遷移する。
【００６８】
ステップＳ１０７において、ステップＳ１０４、１０５で登録された管理テーブルを、スキャナ画像処理部７００のパターン検出前処理部７０２において画像パターンに変換する。図１２の例では、管理テーブル情報を二次元バーコードであるＱＲコードに変換している。尚、ＱＲコードに変換される情報に属性情報のうち少なくともＩＤ番号が付加される。
【００６９】
ステップＳ１０８において、ステップＳ１０１でＨＤＤ１０９やＲＡＭ１０７などの記憶装置に格納した画像データを、スキャナ画像処理部７００のパターン検出前処理部７０２に読み込んで、ステップＳ１０７において変換した画像パターンと合成する。図１２の例では、ステップＳ１０７で生成したＱＲコードと原稿画像とを合成している。
【００７０】
ステップＳ１０９において、ステップＳ１０２で指定した宛先に、ステップＳ１０１あるいはステップＳ１０８で生成した画像データを送信して、本処理を終了する。
【００７１】
図１３は、図２の複合機によって実行されるファクシミリ受信処理の手順を示すフローチャートである。
【００７２】
本処理は、コントローラ１００のＣＰＵ１０３で実行される。
【００７３】
公衆回線６００を介してモデム１０６に、画像パターンであるＱＲコード付ファクシミリ文書の着信信号が到達するとファクシミリ受信を開始する。
【００７４】
まず、ステップＳ２０１において、ファクシミリのプロトコルに従って受信した画像データは、モデム１０６からシステムバス１０１を介してＲＡＭ１０７又はＨＤＤ１０９などの記憶装置に格納される。
【００７５】
尚、受信した画像データは、ＭＨ／ＭＲ／ＭＭＲなどの圧縮方式を用いて圧縮されているが、格納時に圧縮方式を変更してもよく、あるいはＣＰＵ１０３によって非圧縮の画像データに処理して格納してもよい。また、同時に送信元の電話番号をＲＡＭ１０７又はＨＤＤ１０９などの記憶装置に格納しておく。
【００７６】
ステップＳ２０２において、受信したファクシミリ文書を文書管理するか否かを選択する。管理する場合はステップＳ２０３へ遷移する。管理しない場合はステップＳ２０６へ遷移する。
【００７７】
ステップＳ２０１で格納した画像データを、イメージバスＩ／Ｆ１１０を介してスキャナ画像処理部７００に送信する。
【００７８】
ステップＳ２０３において、図１０の送信処理のステップＳ１０７で作成した属性情報の画像データパターン、本例では二次元バーコードであるＱＲコードが受信したファクシミリ文書に埋め込まれているか否かを判定する。
【００７９】
ＱＲコードの検出は、スキャナ画像処理部７００で画像データを読み込んで、パターン検出前処理部７０２によりＱＲコードのパターンに一致するイメージパターンが存在するかを判定することで行う。ＱＲコードを検出した場合はステップＳ２０４へ遷移する。検出しない場合はステップＳ２０６へ遷移する。
【００８０】
ステップＳ２０４において、抽出したＱＲコードから属性情報を抽出したか否か判定する。抽出した場合は、ＣＰＵ１０３が解釈できるフォーマットに編集し、イメージバスＩ／Ｆ１１０を介してＣＰＵ１０３へ転送し、ステップＳ２０５へ遷移する。属性情報が抽出できなかった場合はステップＳ２０６へ遷移する。
【００８１】
ステップＳ２０５において、属性情報中のＩＤ番号から対応する管理テーブルを、ＲＡＭ１０７あるいはＨＤＤ１０９などの記憶装置から読み込む。図１１（Ｂ）、図１４に示すように、受信したファイルから属性情報を更新する。この例では、受信したファクシミリ文書のファイル名とステップＳ２０１で記憶しておいたファクシミリの送信元の連絡先を管理テーブルに追加している。
【００８２】
ステップＳ２０６において、受信したファクシミリ文書にファイル名を付けてＨＤＤ１０９などの記憶装置に格納して本処理を終了する。図１１（Ｂ）の例ではｆｉｌｅ  ｐａｔｈに記述されているファイル格納場所に格納する。
【００８３】
図１５は、図２の複合機によって実行される期限切れ処理の手順を示すフローチャートである。
【００８４】
本処理は、コントローラ１００のＣＰＵ１０３で実行される。
【００８５】
図１０の送信処理における前ステップＳ１０５において管理テーブルに設定した返信期限を監視する期限切れ処理フローが開始される。
【００８６】
まず、ステップＳ３０１において、この返信期限が切れたか否かを判定する。切れた場合はステップＳ３０２へ遷移する。切れていない場合は、一定時間経過後にステップＳ３０１で再度判定を行う。
【００８７】
ステップＳ３０２において、管理テーブルの返信状況と、図１０のステップＳ１０２で指定した送信先を確認して未受信者がいるか否かを判定する。該当者がいる場合はステップＳ３０３へ遷移する。管理テーブル図１１（Ｂ）の場合は、送信先３つ（Ｓｅｎｄ）に対して、未返信者（ｒｅｐｌｙ）が２つあるためステップＳ３０３へ遷移する。いない場合は本処理を終了する。
【００８８】
ステップＳ３０３において、管理テーブルの管理者に返信状況を電子メールで通知する。図１６に示すように、ａｄｍｉｎｉＳｔｒａｔｏｒの管理者に通知を行う。
【００８９】
ステップＳ３０４において、返信状況を受け取った管理者はファクシミリを再送するか否かを選択する。再送する場合はステップＳ３０５へ遷移する。再送しない場合はステップＳ３０６へ遷移する。
【００９０】
ステップＳ３０５において、未返信者にファクシミリを再送する。図１７の例では、未返信者である２つの宛先に対してファクシミリ文書を再送している。
【００９１】
ステップＳ３０６において、管理テーブルの期限を再度指定し、管理テーブルの返信期限のデータを更新し、本処理を終了する。
【００９２】
また、本発明の目的は、実施の形態の機能を実現するソフトウェアのプログラムコードを記録した記憶媒体を、システム又は装置に供給し、そのシステム又は装置のコンピュータ（又はＣＰＵやＭＰＵ等）が記憶媒体に格納されたプログラムコードを読み出して実行することによっても達成される。
【００９３】
この場合、記憶媒体から読み出されたプログラムコード自体が前述した実施の形態の機能を実現することになり、そのプログラムコード及び該プログラムコードを記憶した記憶媒体は本発明を構成することになる。
【００９４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００９５】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００９６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【図面の簡単な説明】
【００９７】
【図１】本発明のファクシミリ送受信装置を構成する複合機と、ファクシミリ装置が公衆回線で接続されるシステムの構成を概略的に示す図である。
【図２】図１における複合機の制御システム構成を概略的に示す図である。
【図３】図２におけるスキャナの外観図である。
【図４】図２におけるプリンタの外観図である。
【図５】図２におけるスキャナ画像処理部の構成を概略的に示す図である。
【図６】図２におけるプリンタ画像処理部の構成を概略的に示す図である。
【図７】図２における操作部の構成を概略的に示す図である。
【図８】図７における液晶操作パネルに通常のコピー画面が表示されている様子を示す図である。
【図９】図２におけるＰＤＬアクセラレータの構成を概略的に示す図である。
【図１０】図２の複合機によって実行されるファクシミリ送信処理の手順を示すフローチャートである。
【図１１】ファクシミリ文書の管理テーブルを示す図である。
【図１２】図１の複合機によるファクシミリ文書送信を示す概要図である。
【図１３】図２の複合機によって実行されるファクシミリ受信処理の手順を示すフローチャートである。
【図１４】図１の複合機によるファクシミリ文書受信を示す概要図である。
【図１５】図２の複合機によって実行される期限切れ処理の手順を示すフローチャートである。
【図１６】図１の複合機によるファクシミリ文書期限切れ通知処理を示す概要図である。
【図１７】図１の複合機によるファクシミリ文書期限切れ再送処理を示す概要図である。
【符号の説明】
【００９８】
ステップＳ１０４  管理テーブル作成手段
ステップＳ１０７  イメージパターン変換手段
ステップＳ１０９  ファクシミリ送信手段
ステップＳ２０４  ＩＤ抽出手段
ステップＳ２０６  受信フアクシミリ文書格納手段
ステップＳ３０５  ファクシミリ文書再送手段
【図１】
2008061128.tif 000003
【図２】
2008061128.tif 000004
【図３】
2008061128.tif 000005
【図４】
2008061128.tif 000006
【図５】
2008061128.tif 000007
【図６】
2008061128.tif 000008
【図７】
2008061128.tif 000009
【図８】
2008061128.tif 000010
【図９】
2008061128.tif 000011
【図１０】
2008061128.tif 000012
【図１１】
2008061128.tif 000013
【図１２】
2008061128.tif 000014
【図１３】
2008061128.tif 000015
【図１４】
2008061128.tif 000016
【図１５】
2008061128.tif 000017
【図１６】
2008061128.tif 000018
【図１７】
2008061128.tif 000019